(57)【要約】【課題】部品点数が少なく、コストが安いフラット回路体の分岐構造を提供する。【解決手段】フラット回路体１０に分岐接続するための折り曲げ端または重ね合わせ端を形成するにあたって、フラット回路体の絶縁フィルムを所定範囲で取り除き、折り曲げ端または重ね合わせ端に各導体１が露出する導体露出部３を形成するとともに、前記折り曲げ端または重ね合わせ端をフラット回路体挿入口５ａから第１コネクタハウジング５内に挿入し、さらに、電線２０の先端に取り付けた圧接端子７を収容する端子収納室６ａを備える第２コネクタハウジング６を、ハウジング嵌合口５ｂから第１コネクタハウジング５内に嵌合し、第１コネクタハウジング内に挿入されている折り曲げ端または重ね合わせ端の導体露出部３に、第２コネクタハウジングの各端子収納室に端子先端が突出するように収容されている各圧接端子７をそれぞれ接圧させ、分岐接続させるようにした。【選択図】図３
2007323919.tif 000002
【特許請求の範囲】
【請求項１】
複数本の導体（１）を絶縁フィルム（２）で挟んだ構造をなすフラット回路体（１０）を各導体が平行に重なるように長さ方向中間部で折り曲げ、当該折り曲げ端に分岐コネクタを取り付けることによって、フラット回路体を２方向に分岐するフラット回路体の分岐構造において、
フラット回路体（１０）の長さ方向中間部に分岐接続するための折り曲げ端を形成するにあたって、前記中間部において絶縁フィルム（２）を所定範囲で取り除き、折り曲げ端に各導体（１）が露出する導体露出部（３）を形成するとともに、前記折り曲げ端をフラット回路体挿入口（５ａ）から第１コネクタハウジング（５）内に挿入し、
さらに、電線（２０）の先端に取り付けた圧接端子（７）を収容する端子収納室（６ａ）を備える第２コネクタハウジング（６）を、ハウジング嵌合口（５ｂ）から第１コネクタハウジング内に嵌合し、
第１コネクタハウジング内に挿入されている折り曲げ端の導体露出部（３）に、第２コネクタハウジングの各端子収納室に端子先端が突出するように収容されている各圧接端子（７）をそれぞれ接圧させ、分岐接続させるようにしたことを特徴とするフラット回路体の分岐構造。
【請求項２】
複数本の導体（１）を絶縁フィルム（２）で挟んだ構造をなす２枚のフラット回路体（１０Ａ，１０Ｂ）を各導体が平行に重なるように各フラット回路体の先端をそろえて重ね合わせ、その重ね合わせ端に分岐コネクタを取り付けることによって、フラット回路体を２方向に分岐するフラット回路体の分岐構造において、
２枚のフラット回路体（１０Ａ，１０Ｂ）の各先端部に分岐接続するための重ね合わせ端を形成するにあたって、前記各先端部において絶縁フィルム（２）を所定範囲で取り除き、重ね合わせ端に各導体が露出する導体露出部（３）を形成するとともに、前記重ね合わせ端をフラット回路体挿入口（５ａ）から第１コネクタハウジング（５）内に挿入し、
さらに、電線（２０）の先端に取り付けた圧接端子（７´）を収容する端子収納室（６ａ）を備える第２コネクタハウジング（６）を、ハウジング嵌合口（５ｂ）から第１コネクタハウジング内に嵌合し、
第１コネクタハウジング内に挿入されている重ね合わせ端の導体露出部（３）に、第２コネクタハウジングの各端子収納室に端子先端が突出するように収容されている各圧接端子（７´）をそれぞれ接圧させ、分岐接続させるようにしたことを特徴とするフラット回路体の分岐構造。
【請求項３】
フラット回路体に補強板（４）を貼り付け、第１コネクタハウジングに挿入された部分の強度を高くしたことを特徴とする請求項１または２に記載のフラット回路体の分岐構造。
【発明の詳細な説明】
【技術分野】
【０００１】
本発明は、フレキシブルフラットケーブル（ＦＦＣ）やフレキシブルプリント配線板（ＦＰＣ）等のフラット回路体の分岐構造に関する。
【背景技術】
【０００２】
複数本の導体を絶縁フィルムで挟んだ構造をなすフラット回路体を用いて回路間の電気的接続を行う場合、フラット回路体の端末にコネクタを取り付け、このコネクタを相手方コネクタに接続し、フラット回路体を用いて回路間の電気的接続をする。
そして図１に示すように、フラット回路体を各導体が平行に重なるように長さ方向中間部で折り曲げ、当該折り曲げ端に分岐コネクタを取り付けることによって、フラット回路体を２方向に分岐できるフラット回路体の分岐構造や、２枚のフラット回路体を各導体が平行に重なるように各フラット回路体の先端をそろえて重ね合わせ、その重ね合わせ端に分岐コネクタを取り付けることによってフラット回路体を２方向に分岐できるようにしたフラット回路体の分岐構造が知られている。
【０００３】
従来のフラット回路体の分岐構造では、例えば、フラット回路体各導体が平行に重なるように長さ方向中間部で折り曲げることによって分岐接続するための折り曲げ端を形成し、この折り曲げ端において隣接する導体間にスリットを形成し、当該スリットによって分けられた各導体に導通する複数の端子を加締め固着したうえで、前記スリットにコネクタハウジングの端子収容室の区画壁が入るようにして各導体に固着した各端子をコネクタハウジングの各端子収容室に挿入し、これを相手側のコネクタと接続させるようにしていた。（例えば、特許文献１を参照）
そして複数本の電線を前記フラット回路体の折り曲げ端の各導体にそれぞれ接続する場合、隣接する導体間にスリットが形成されているフラット回路体の折り曲げ端において各導体にオス端子をそれぞれ加締め固着し、各オス端子をコネクタハウジングの各端子収容室に収容しておくとともに、各電線の先端にメス端子（相手方のコネクタ）を取り付け、このメス端子をコネクタハウジングの端子収容室に挿入することによって、端子収容室内に収容されているオス端子との接合を図っていた。つまり分岐コネクタにおいて、フラット回路体の各導体に固着したオス端子と、各電線の先端に取り付けたメス端子の雌雄結合によって、フラット回路体の各導体に電線を接続していた。
【特許文献１】特開２００１−２２３０４５
【発明の開示】
【発明が解決しようとする課題】
【０００４】
従来技術によるフラット回路体の分岐構造では、フラット回路体の折り曲げ端において、隣接する導体間にスリットを形成し、各導体に端子（オス端子）を加締め固着していたため、各導体に端子（オス端子）を接続するための部品点数が多く、作業工程も多く、コストがかかってしまっていた。
【課題を解決するための手段】
【０００５】
そこで本発明のフラット回路の分岐構造によれば、複数本の導体を絶縁フィルムで挟んだ構造をなすフラット回路体に分岐接続するための折り曲げ端または重ね合わせ端を形成するにあたって、フラット回路体の絶縁フィルムを所定範囲で取り除き、折り曲げ端または重ね合わせ端に各導体が露出する導体露出部を形成するとともに、前記折り曲げ端または重ね合わせ端をフラット回路体挿入口から第１コネクタハウジング内に挿入し、さらに電線の先端に取り付けた圧接端子を収容する端子収納室を備える第２コネクタハウジングをハウジング嵌合口から第１コネクタハウジング内に嵌合し、第１コネクタハウジング内に挿入されている折り曲げ端または重ね合わせ端の導体露出部に、第２コネクタハウジングの各端子収納室に端子先端が突出するように収容されている各圧接端子をそれぞれ接圧させ、分岐接続させるようにした。
【発明の効果】
【０００６】
本発明によるフラット回路体の分岐構造によれば、電線の先端に取り付けた圧接端子をフラット回路体の折り曲げ端または重ね合わせ端において各導体に直接接続する構造であるため、フラット回路体の各導体に端子（オス端子）を取り付ける必要がなく部品点数を削減できるとともに、作業工程を削減し、コストを安くすることができる。
【発明を実施するための最良の形態】
【０００７】
本発明の実施例によるフラット回路体の分岐構造について、図１から図４を参照して説明する。
本発明の第１実施例によるフラット回路体の分岐構造は、図１（ａ）に示すように、１枚のフラット回路体１０を各導体が平行に重なるように長さ方向中間部で折り曲げ、当該折り曲げ端に分岐コネクタを取り付けて分岐接続するものである。
また本発明の第２実施例によるフラット回路体の分岐構造は、図１（ｂ）に示すように、２枚のフラット回路体１０Ａ，１０Ｂを各導体が平行に重なるように各フラット回路体の先端をそろえて重ね合わせ、その重ね合わせ端に分岐コネクタを取り付けることによって分岐接続するものである。
【０００８】
なお、複数本の導体を絶縁フィルムで挟んだ構造をなすフラット回路体の折り曲げ端若しくは重ね合わせ端に取り付けられる分岐コネクタは、図２に示すように、第１コネクタハウジング５と第２コネクタハウジング６とから構成される。
図２（ａ）に示すように、第２コネクタハウジング６は、電線の先端に取り付けた圧接端子が各々収容される端子収容室６ａを複数備える。
また図２（ｂ）の断面図に示すように、第１コネクタハウジング５は、フラット回路体挿入口５ａとハウジング嵌合口５ｂとを有する。
そして第１及び第２コネクタハウジング５，６から構成される分岐コネクタでは、フラット回路体の折り曲げ端若しくは重ね合わせ端がフラット回路体挿入口５ａから第１コネクタハウジング５内に挿入されるとともに、電線２０の先端の圧接端子を収納する端子収納室６ａを備えた第２コネクタハウジング６がハウジング嵌合口５ｂから第１コネクタハウジング５内に嵌合される構造となっている。
【０００９】
図３を参照して、第１実施例によるフラット回路体の分岐構造を説明する。
この実施例では、複数本の導体１を絶縁フィルム２で挟んだ構造をなすフラット回路体１０を各導体１が平行に重なるように長さ方向中間部で折り曲げ、当該折り曲げ端に分岐コネクタを取り付けることによって、フラット回路体を２方向に分岐させる。
そして、フラット回路体１０を長さ方向中間部で折り曲げることによって分岐接続するための折り曲げ端を形成するにあたって、図３（ａ）に示すように、前記中間部において絶縁フィルム２を所定範囲で取り除き、折り曲げ端に各導体１が露出する導体露出部３を形成するとともに、その露出面と反対側の面に金属あるいはガラスエポキシ樹脂などの硬質で弾性のある材料からなる補強板４を貼り付けた。
【００１０】
この実施例では、フラット回路体を長さ方向中間部で折り曲げるにあたって、前記中間部について片面（表面側）の絶縁フィルム２を所定範囲で取り除き、各導体１を露出させるとともに、その露出面と反対側の面に補強板４を貼り付け、導体露出部３が外側になるように前記中間部においてフラット回路体１０を折り曲げた。これによって、フラット回路体１０の折り曲げ端（分岐コネクタへの挿入部分）には、各導体１が露出した導体露出部３が設けられる。また補強板４によって前記折り曲げ端（分岐コネクタへの挿入部分）の強度が確保される。
なお図３に示す実施例では、複数本の導体１を絶縁フィルム２で挟んだ構造をなすフラット回路体１０の片面の絶縁フィルム２のみを所定範囲で取り除いて導体露出部３を形成したが、前記フラット回路体１０の両面の絶縁フィルム２を所定範囲で取り除いて導体露出部３を形成するとともに、その片面側（裏面）に絶縁材料からなる補強板４を貼り付け、当該補強板４を折り曲げ部に介在させるようにしてフラット回路体１０を折り曲げ、導体露出部３を有する折り曲げ端を形成してもよい。
【００１１】
そして図３（ｂ）及び図３（ｃ）に示すように、前記フラット回路体１０の折り曲げ端に分岐コネクタを取り付け、当該分岐コネクタによってフラット回路体１０の各導体１に電線２０を接続し、フラット回路体を分岐接続する。
図３（ｂ）の斜視図及び図３（ｃ）の断面図に示すように、フラット回路体１０の折り曲げ端を第１コネクタハウジング５のフラット回路体挿入口から第１コネクタハウジング内に挿入し、前記折り曲げ端に形成されている導体露出部３を第１コネクタハウジング内に収容する。
また電線２０の先端に取り付けた圧接端子７を、第２コネクタハウジング６の各端子収容室６ａに端子先端を突出させるようにしてそれぞれ収容する。
そして前記第１コネクタハウジング５と第２コネクタハウジング６を嵌合することによって、端子収容室６ａに端子先端が突出するように収容されている各圧接端子７を、第１コネクタハウジング内に収容されているフラット回路体の折り曲げ端に圧接させ、前記折り曲げ端の導体露出部３において露出している各導体１に各圧接端子７をそれぞれ接圧させる。
すなわち図３に示すフラット回路体の分岐構造によれば、電線２０の先端に取り付けた圧接端子７をフラット回路体１０の折り曲げ端において各導体１に直接接続することができる。
【００１２】
次に図４を参照して、第２実施例によるフラット回路体の分岐構造を説明する。
この実施例では、複数本の導体１を絶縁フィルム２で挟んだ構造をなす２枚のフラット回路体１０Ａ，１０Ｂを各導体が平行に重なるように各フラット回路体の先端をそろえて重ね合わせ、その重ね合わせ端に分岐コネクタを取り付けることによってことによって、フラット回路体１０Ａ，１０Ｂを２方向に分岐させる。
そして、分岐接続するための重ね合わせ端を形成するにあたって、図４（ａ）に示すように、２枚のフラット回路体１０Ａ，１０Ｂの各先端部において絶縁フィルム２を所定範囲で取り除き、重ね合わせ端に各導体１が露出する導体露出部３を形成するとともに、その露出面と反対側の面に金属あるいはガラスエポキシ樹脂などの硬質で弾性のある材料からなる補強板４を貼り付けた。
【００１３】
この実施例では、各フラット回路体の先端部について片面（表面側）の絶縁フィルム２を所定範囲で取り除き、各導体１を露出させるとともに、その露出面と反対側の面に補強板４を貼り付け、導体露出部３が外側になるように２枚のフラット回路体１０Ａ，１０Ｂを重ね合わせた。これによって、２枚のフラット回路体１０Ａ，１０Ｂの重ね合わせ端（分岐コネクタへの挿入部分）には、各導体１が露出した導体露出部３が設けられる。また補強板４によって、前記重ね合わせ端（分岐コネクタへの挿入部分）の強度が確保される。
なお図４に示す実施例では、複数本の導体１を絶縁フィルム２で挟んだ構造をなす２枚のフラット回路体１０Ａ，１０Ｂの先端部においてそれぞれ片面の絶縁フィルム２のみを所定範囲で取り除いて導体露出部３を形成し、各導体露出部３が外側になるように２枚のフラット回路体１０Ａ，１０Ｂを重ね合わせたが、２枚のフラット回路体１０Ａ，１０Ｂの先端部において両面の絶縁フィルム２を所定範囲で取り除いて導体露出部３を形成するとともに、絶縁材料からなる補強板４を介在させるようにして２枚のフラット回路体１０を重ね合わせ、導体露出部３を有する重ね合わせ端を形成してもよい。
【００１４】
そして図４（ｂ）に示すように、フラット回路体１０Ａ，１０Ｂの重ね合わせ端に分岐コネクタを取り付け、当該分岐コネクタによってフラット回路体１０Ａ，１０Ｂの各導体１に電線２０を接続し、フラット回路体を分岐接続する。
２枚のフラット回路体１０Ａ，１０Ｂの重ねあわせ端を第１コネクタハウジング５のフラット回路体挿入口から第１コネクタハウジング内に挿入し、前記重ね合わせ端に形成されている導体露出部３を第１コネクタハウジング内に収容する。
また電線２０の先端に取り付けた圧接端子７´を、第２コネクタハウジング６の各端子収容室６ａに端子先端を突出させるようにしてそれぞれ収容する。
そして前記第１コネクタハウジング５と第２コネクタハウジング６を嵌合することによって、端子収容室６ａに端子先端が突出するように収容されている各圧接端子７´を、第１コネクタハウジング内に収容されているフラット回路体の重ね合わせ端に圧接させ、前記重ね合わせ端の導体露出部３において露出している各導体１に各圧接端子７´をそれぞれ接圧させる。
すなわち図３に示すフラット回路体の分岐構造によれば、電線２０の先端に取り付けた圧接端子７´をフラット回路体１０の重ね合わせ端において各導体１に直接接続することができる。
【図面の簡単な説明】
【００１５】
【図１】フラット回路体の分岐構造を示す図である。
【図２】分岐コネクタの構造を示す図である。
【図３】第１実施例によるフラット回路体の分岐構造を説明する図である。
【図４】第２実施例によるフラット回路体の分岐構造を説明する図である。ある。
【符号の説明】
【００１６】
１    導体
２    絶縁フィルム
３    導体露出部
４    補強板
５    第１コネクタハウジング
５ａ  フラット回路体挿入口
５ｂ  ハウジング嵌合口
６    第２コネクタハウジング
６ａ  端子収容室
７    圧接端子
１０，１０Ａ，１０Ｂ  フラット回路体
２０  電線
【図１】
2007323919.tif 000003
【図２】
2007323919.tif 000004
【図３】
2007323919.tif 000005
【図４】
2007323919.tif 000006